(57)【要約】  【課題】  ディスク状記録媒体に水滴がついている状態であっても、受入時にディスク状記録媒体についている水滴を除去して、ディスク状記録媒体の読出／書込を問題無く行うことができる記録媒体受入装置を提供する。  【解決手段】  受入口３２に挿入された光ディスク（ディスク状記録媒体）２６を受入れる記録媒体受入装置において、受入中のディスク状記録媒体２６のデータ記録面についている水滴を除去する搬送ローラ（除去手段）２０を備える。搬送ローラ２０は、表面に水分を吸収する吸収体２４を備える。また、搬送ローラ２０は、内部にヒータ（発熱手段）２２を備える。【選択図】      図１
2006127614.tif 000002
【特許請求の範囲】
【請求項１】
受入口に挿入されたディスク状記録媒体を受入れる記録媒体受入装置において、
受入中のディスク状記録媒体のデータ記録面の水分を除去する除去手段を備えることを特徴とする記録媒体受入装置。
【請求項２】
前記除去手段は、水分を吸収する吸収体を備えることを特徴とする請求項１記載の記録媒体受入装置。
【請求項３】
前記除去手段は、発熱手段を備えることを特徴とする請求項１又は２記載の記録媒体受入装置。
【請求項４】
受入中のディスク状記録媒体の搬送路に搬送ローラが配置されており、
前記吸収体は、前記搬送ローラの表面に設けられていることを特徴とする請求項２記載の記録媒体受入装置。
【請求項５】
受入中のディスク状記録媒体の搬送路に搬送ローラが配置されており、
前記発熱手段は、前記搬送ローラの内部に設けられていることを特徴とする請求項３記載の記録媒体受入装置。
【請求項６】
結露を検出する結露センサと、
該結露センサが結露を検出した場合、前記発熱手段を動作させる発熱制御手段と
を備えることを特徴とする請求項３又は５記載の記録媒体受入装置。
【発明の詳細な説明】
【技術分野】
【０００１】
本発明は、受入口に挿入されたディスク状記録媒体を受入れる記録媒体受入装置に関する。
【背景技術】
【０００２】
ＤＶＤ（Digital Versatile Disk）などの光ディスクを低温環境から高温環境に移動させた場合、又は、光ディスクがおかれている環境が低温から高温に変化した場合、結露によって光ディスクのデータ記録面に水滴がついた状態になることがある。また、結露以外に、ユーザが濡れた手で光ディスクを触ることにより、光ディスクのデータ記録面に水滴がついた状態になることもある。
【０００３】
光ディスクのデータ記録面に水滴がついた状態に対処する方法として、結露センサを備えるディスク装置もある。このようなディスク装置は、結露センサが結露を検知した場合、例えば６０分間などの規定時間の間、操作を受付けなくなる。または、結露センサが結露を検知しない状態に回復するまで、操作を受付けなくなる。
【０００４】
また、光ディスクではないが、結露センサが結露を検知した場合、内部のハードディスクを回転させ、結露の除去を図るハードディスク装置も提案されている（例えば、特許文献１参照）。
【特許文献１】特開２００２−１５７８７３号公報
【発明の開示】
【発明が解決しようとする課題】
【０００５】
結露などによって光ディスクのデータ記録面に水滴がついた状態では、光ディスクに投射された光の反射に悪影響を及ぼし、光ディスクに対する読出／書込が行えなくなり、水滴が除去されるまで使用不能となるため、水滴を迅速に除去することが望まれている。
【０００６】
本発明は斯かる事情に鑑みてなされたものであり、受入中のディスク状記録媒体のデータ記録面の水分を除去する除去手段を備えることにより、受入時にディスク状記録媒体の水分を除去して、ディスク状記録媒体の読出／書込を問題無く行うことができる記録媒体受入装置を提供することを目的とする。
【０００７】
また、本発明は、除去手段が水分を吸収する吸収体を備えることにより、ディスク状記録媒体のデータ記録面についている水滴などを吸収体で吸収し、除去することができる記録媒体受入装置を提供することを他の目的とする。
【０００８】
また、本発明は、除去手段が発熱手段を備えることにより、ディスク状記録媒体のデータ記録面についている水滴などの除去を促進し、また、結露の発生を抑制することができる記録媒体受入装置を提供することを他の目的とする。
【０００９】
また、本発明は、受入中のディスク状記録媒体の搬送路に配置された搬送ローラの表面に吸収体を設けることにより、吸収体を容易かつ低コストに導入することができる記録媒体受入装置を提供することを他の目的とする。
【００１０】
また、本発明は、受入中のディスク状記録媒体の搬送路に配置された搬送ローラの内部に発熱手段を設けることにより、発熱手段を容易かつ低コストに導入することができる記録媒体受入装置を提供することを他の目的とする。
【００１１】
また、本発明は、結露を検出する結露センサと、該結露センサが結露を検出した場合、発熱手段を動作させる発熱制御手段とを備えることにより、結露除去又は結露防止のための発熱に要する消費電力を必要最小限に抑えることができる記録媒体受入装置を提供することを他の目的とする。
【課題を解決するための手段】
【００１２】
本発明に係る記録媒体受入装置は、受入口に挿入されたディスク状記録媒体を受入れる記録媒体受入装置において、受入中のディスク状記録媒体のデータ記録面の水分を除去する除去手段を備えることを特徴とする。
【００１３】
本発明に係る記録媒体受入装置は、前記除去手段は、水分を吸収する吸収体を備えることを特徴とする。
【００１４】
本発明に係る記録媒体受入装置は、前記除去手段は、発熱手段を備えることを特徴とする。
【００１５】
本発明に係る記録媒体受入装置は、受入中のディスク状記録媒体の搬送路に搬送ローラが配置されており、前記吸収体は、前記搬送ローラの表面に設けられていることを特徴とする。
【００１６】
本発明に係る記録媒体受入装置は、受入中のディスク状記録媒体の搬送路に搬送ローラが配置されており、前記発熱手段は、前記搬送ローラの内部に設けられていることを特徴とする。
【００１７】
本発明に係る記録媒体受入装置は、結露を検出する結露センサと、該結露センサが結露を検出した場合、前記発熱手段を動作させる発熱制御手段とを備えることを特徴とする。
【００１８】
本発明においては、受入中のディスク状記録媒体のデータ記録面の水分を除去手段で除去する。例えばディスク状記録媒体がおかれている環境が低温から高温になった場合、結露によってディスク状記録媒体のデータ記録面に水滴がついた状態になることがある。水滴がついているディスク状記録媒体をユーザが気付かずに装置内に挿入した（スロットインした）場合であっても、受入時に除去手段によってディスク状記録媒体についている水滴（水分）が除去され、ディスク状記録媒体の読出／書込を問題無く行える。
【００１９】
本発明においては、除去手段は水分を吸収する吸収体を備えており、ディスク状記録媒体のデータ記録面についている水滴を吸収して取除くことができる。水滴がついているディスク状記録媒体をユーザが気付かずに装置内に挿入した（スロットインした）場合であっても、ディスク状記録媒体についている水滴などを吸収体で吸収し、除去することができる。
【００２０】
本発明においては、除去手段は発熱手段を備えており、ディスク状記録媒体を暖めることにより、ディスク状記録媒体のデータ記録面についている水滴（水分）の蒸発を促進し、また、ディスク状記録媒体と装置内の温度差を縮小することができる。水滴がついているディスク状記録媒体をユーザが気付かずに装置内に挿入した（スロットインした）場合であっても、発熱手段で暖めることによりディスク状記録媒体についている水滴の蒸発を促進し、水滴の除去を図ることができる。また、動作中の装置内は電気回路の発熱などにより高温になるが、ユーザが低温のディスク状記録媒体を高温の装置内に挿入した（スロットインした）場合であっても、低温のディスク状記録媒体を発熱手段で暖めることにより装置内の温度との差を減少し、結露の発生を防止することができる。
【００２１】
本発明においては、受入中のディスク状記録媒体の搬送路に搬送ローラが配置されており、搬送ローラの表面に布などの水分を吸収する吸収体を設けている。ディスク状記録媒体は、受入時に搬送ローラの表面と接触するため、吸収体は受入時のディスク状記録媒体表面と接触し、ディスク状記録媒体表面についている水滴（水分）を吸収することができる。吸収体を、既設の搬送ローラ表面に設けているため、ディスク状記録媒体と接触するように吸収体を支持する機構を新たに設ける必要はなく、吸収体を容易かつ低コストに導入することができる。
【００２２】
本発明においては、受入中のディスク状記録媒体の搬送路に搬送ローラが配置されており、搬送ローラの内部に発熱手段を設けている。発熱手段は、例えば電気エネルギを熱エネルギに変換するヒータを用いることが可能である。ディスク状記録媒体は、受入時に搬送ローラの表面と接触するため、発熱手段で暖められた搬送ローラの熱がディスク状記録媒体に伝達され、ディスク状記録媒体を暖めることができる。発熱手段を、既設の搬送ローラ内部に設けているため、ディスク状記録媒体に熱が伝わるように発熱手段を支持する機構を新たに設ける必要はなく、発熱手段を容易かつ低コストに導入することができる。
【００２３】
本発明においては、結露センサが結露を検出した場合、発熱制御手段の制御により、発熱手段を動作させる。発熱手段は、電気エネルギを熱エネルギに変換する場合が多く、装置の消費電力を増加させるが、結露検出時のみに発熱手段を動作させることにより、結露除去又は結露防止のための発熱に要する消費電力を必要最小限に抑えることができる。
【発明の効果】
【００２４】
本発明によれば、結露などによりディスク状記録媒体に水滴がついている場合であっても、受入時にディスク状記録媒体についている水滴（水分）を除去して、ディスク状記録媒体の読出／書込を問題無く行うことができる。
【００２５】
本発明によれば、ディスク状記録媒体のデータ記録面についている水滴などを吸収体で吸収し、除去することができる。
【００２６】
本発明によれば、ディスク状記録媒体のデータ記録面についている水滴などの蒸発を促進し、水滴の除去を図ることができる。また、低温のディスク状記録媒体を暖めて高温にし、装置内の温度との差を減少し、結露の発生を防止することができる。
【００２７】
本発明によれば、吸収体を容易かつ低コストに導入することができる。
【００２８】
本発明によれば、発熱手段を容易かつ低コストに導入することができる。
【００２９】
本発明によれば、結露除去又は結露防止のための発熱に要する消費電力を必要最小限に抑えることができる。
【発明を実施するための最良の形態】
【００３０】
以下、本発明をその実施の形態を示す図面に基づいて具体的に説明する。
（実施の形態１）
図１は本発明に係るディスク装置（記録媒体受入装置）の例を示すブロック図である。ディスク装置は、ＤＶＤーＲＯＭ又はＤＶＤ−Ｒなどの光ディスク（ディスク状記録媒体）２６を受入れるための出入口（受入口）３２を筐体に備え、外部から光ディスク２６が挿入（スロットイン）される。ディスク装置は、出入口３２から挿入された光ディスク２６の中心穴２８に挿入して光ディスク２６を支持する支持体１８と、支持体１８（及び支持体１８が支持する光ディスク２６）を回転させるモータ１６と、回転する光ディスク２６にレーザー光を投射すると共に光ディスク２６からの反射光を受光するヘッド１４と、ヘッド１４を駆動するヘッド駆動部１２と、光ディスク２６の搬送路（図中の一点鎖線）に配置された搬送ローラ２０と、ヘッド駆動部１２及びモータ１６などの装置内各部を制御する制御部１０とを備える。
【００３１】
また、ディスク装置は、図示していないが、ヘッド１４が光ディスク２６から読出したデータ又はヘッド１４から光ディスク２６に書込むデータの処理を行うデータ処理部、及び、受入時は出入口３２から挿入された光ディスク２６を搬送路を介して支持体１８へ搬送し、取出時は支持体１８が支持する光ディスク２６を搬送路を介して出入口３２へ搬送する搬送機構などを備えている。
【００３２】
搬送ローラ２０は、装置内の出入口３２周辺に上下に並べて配置されており、搬送中の光ディスク２６の両面と夫々接触する。搬送ローラ２０の表面には、布などの水分を吸収する吸収体（除去手段）２４が設けられている。また、搬送ローラ２０の内部には、電気エネルギを熱エネルギに変換するヒータ（発熱手段、除去手段）２２が設けられている。ヒータ２２には、ヘッド駆動部１２、モータ１６及び制御部１０などに給電を行う図示しない給電部から電流が供給されている。
【００３３】
光ディスク２６が低温環境から高温環境に移動されるなどして、ディスク装置が置かれている室温よりも光ディスク２６の温度が低くなった場合、結露によって光ディスク２６に水滴がついた状態になる場合がある。水滴がついている光ディスク２６が出入口３２から挿入された場合、搬送ローラ２０表面の吸収体２２が光ディスク２６表面と接触し、光ディスク２６表面についている水滴などの水分を吸収体２４が吸収するため、光ディスクについている水滴（水分）は除去される。
【００３４】
また、搬送ローラ２０は、内部のヒータ２２によって暖められており、搬送ローラ２０と接触した光ディスク２６を暖めるため、光ディスク２６の温度を上げて水滴（水分）の蒸発を促進すると共に、光ディスク２６の温度を上げて装置内部と光ディスク２６との温度差を減少させ、光ディスク２６の結露の発生を抑制することができる。
【００３５】
また、ヒータ２２によって布などの吸収体２４も暖められるため、吸収体２４が吸収した水分の蒸発を促進し、吸収体２４を乾燥した状態に保つことができる。また、出入口３２の内側にヒータ２２を配置することにより、出入口３２から装置内部に入ってきた湿気を除去して、装置内部に結露が生じ難い環境をつくることができる。
【００３６】
（実施の形態２）
図２は本発明に係るディスク装置（記録媒体受入装置）の他の例を示すブロック図である。図２に示すディスク装置は、第１の実施形態（図１）とほぼ同様であり、制御部１０、ヘッド駆動部１２、ヘッド１４、モータ１６、支持体１８、搬送ローラ２０、出入口３２を備える。ただし、本実施の形態では、ディスク装置は結露を検出する結露センサ３０を備え、搬送ローラ２０のヒータ２２の動作は、結露センサ３０の結露検出に基づいて、制御部（発熱制御手段）１０で制御される。結露センサ３０は、装置内側の出入口３２周辺に配置され、制御部１０に接続されている。
【００３７】
制御部１０は、結露センサ３０から結露検出信号を受取った場合、図示しない給電部を制御するなどしてヒータ２２へ電流を供給し、ヒータ２２を動作させる。また、制御部１０は、結露センサ３０から結露検出信号を受取らない場合、図示しない給電部を制御するなどしてヒータ２２への電流供給を停止し、ヒータ２２を停止させる。結露が検出された場合のみヒータ２２を動作させることにより、ヒータ２２が結露除去に使用する消費電力を必要最小限に抑えることができる。
【００３８】
上述した各実施の形態においては、光ディスク２６の両面に接触するように２つの搬送ローラ２０（吸収体２４、ヒータ２２）を設けたが、１つの搬送ローラ２０を設けることも可能である。１つの搬送ローラ２０を設ける場合は、光ディスク２６のデータ記録面（下側）に配置することが好ましい。
【００３９】
また、上述した各実施の形態においては、搬送ローラ２０に吸収体２４及びヒータ２２の両方を設けたが、何れか一方のみを設けることも可能である。さらに、制御部１０で図示しない搬送機構を制御して、支持体１８に支持されている光ディスク２６を出入口３２に搬送して、搬送ローラ２０と接触させた後、光ディスク２６を支持体１８に搬送して、元の支持された状態にもどすことにより、光ディスク２６を複数回、搬送ローラ２０と接触させて水分除去を繰返し行うことも可能である。
【００４０】
また、図３は、ディスク状記録媒体から水滴（水分）を除去する除去手段の他の例を示す図である。吸収体２４及びヒータ（発熱手段）２２を搬送ローラに設けず、図３（ａ）に示すように、通常の搬送ローラ２０ａとは別の水分除去用ローラ２１に吸収体２４及びヒータ２２を設けることも可能である。また、除去手段は、吸水体又は発熱体に限定はされず、図３（ｂ）に示すように、例えばゴム製のワイパー３４を用いることも可能である。なお、水分を吸収する布製のワイパー３４を用いることも可能である。なお、ワイパー３４と、吸収体２４及び／又はヒータ２２を備える搬送ローラの両方を設けることも勿論可能である。
【００４１】
また、本発明に係る記録媒体受入装置は、携帯型の撮像装置に搭載したり、携帯型又は据置型の音楽プレーヤ又は映像プレーヤに搭載したり、携帯型又は据置型の記録装置に搭載することが可能である。また、ディスク状記録媒体は、ＤＶＤなどの光記録媒体に限定はされず、ＭＯ（Magneto-Optical）ディスクなどの光磁気記録媒体であってもよく、磁気記録媒体であってもよい。
【図面の簡単な説明】
【００４２】
【図１】本発明に係るディスク装置の例を示すブロック図である。
【図２】本発明に係るディスク装置の他の例を示すブロック図である。
【図３】ディスク状記録媒体から水滴を除去する除去手段の他の例を示す図である。
【符号の説明】
【００４３】
１０  制御部
１２  ヘッド駆動部
１４  ヘッド
１６  モータ
１８  支持体
２０  搬送ローラ
２２  ヒータ
２４  吸収体
２６  光ディスク
２８  中心穴
３０  結露センサ
【図１】
2006127614.tif 000003
【図２】
2006127614.tif 000004
【図３】
2006127614.tif 000005